(57)【要約】  本発明は，ある種の線維筋痛症を適切に診断するための診断剤，診断方法，及びそのタイプに対する治療剤を提供することを目的とする。  本発明は，電位依存性カリウムチャネルの複合体に対する抗体（抗ＶＧＫＣ複合体抗体）を検出する試薬を含む，抗ＶＧＫＣ複合体抗体と関連する線維筋痛症の診断剤，その診断剤を用いた診断方法，及び抗ＶＧＫＣ複合体抗体と関連する線維筋痛症の治療剤に関する。本発明は，電位依存性カリウムチャネルの複合体に対する抗体を検出する試薬を含む，電位依存性カリウムチャネルの複合体に対する抗体と関連する線維筋痛症の診断剤や，抗けいれん薬（ガバペンチン又はクロナゼパム）を有効成分として有効量含む，電位依存性カリウムチャネルに対する抗体に関連する線維筋痛症に対する治療剤に関する。
2012046708.tif 000002
【特許請求の範囲】
【請求項１】
電位依存性カリウムチャネルの複合体に対する抗体を検出する試薬を含む，電位依存性カリウムチャネルに対する抗体と関連する線維筋痛症の診断剤。
【請求項２】
電位依存性カリウムチャネルの複合体に対する抗体を検出する試薬を用いて，患者の生体試料に，前記抗体が所定濃度以上含まれるか否か判定する工程を含む，電位依存性カリウムチャネルに対する抗体と関連する線維筋痛症の診断方法。
【請求項３】
抗けいれん薬を有効成分として有効量含む，電位依存性カリウムチャネルの複合体に対する抗体に関連する線維筋痛症に対する治療剤。
【請求項４】
前記抗けいれん薬が，ガバペンチン及びクロナゼパムのいずれか又は両方を含む請求項３に記載の治療剤。
【請求項５】
前記抗けいれん薬が，クロナゼパムを含む請求項３に記載の治療剤。
【請求項６】
請求項４又は５に記載の治療剤であって，血清を用いた抗ＶＧＫＣ複合体抗体濃度の測定において，前記抗ＶＧＫＣ複合体抗体濃度が１００ｐＭ以上の線維筋痛症患者に対する疼痛改善に用いられる治療剤。
【発明の詳細な説明】
【技術分野】
【０００１】
本発明は，線維筋痛症の診断剤，診断方法及び治療剤に関する。より詳しく説明すると，本発明は，抗ＶＧＫＣ複合体抗体が線維筋痛症の一因であるという新規な知見に基づくものである。そして，本発明は，この抗ＶＧＫＣ複合体抗体に関連する線維筋痛症を診断するための診断剤，診断方法及び，この抗ＶＧＫＣ複合体抗体に関連する線維筋痛症の治療剤に関する。
【背景技術】
【０００２】
線維筋痛症の診断方法として，米国リウマチ学会が１９９０年に提唱した分類基準が知られている。また，下記非特許文献１には，Ｊ−ＦＩＱ（日本版ＦＩＱ；Ｆｉｂｒｏｍｙａｌｇｉａ  Ｉｍｐａｃｔ  Ｑｕｅｓｔｉｏｎａｉｒｅ）に基づく線維筋痛症の判定方法が提案されている。また，特許３６３０６８９号公報（特許文献１）には，抗ポリマー抗体を検出することで線維筋痛症に罹患しているか否かを診断する方法が開示されている。【０００３】
線維筋痛症は，様々な原因により惹起される疾患である。このため，ある線維筋痛症の患者には有効な治療薬が，他の線維筋痛症の患者には全く効果がない事例も多々存在する。そこで，線維筋痛症に罹患しているか否かを診断するだけではなく，線維筋痛症の原因やタイプを適切に診断する方法が望まれる。【０００４】
一方，特開２００９−００７２７８号公報（特許文献２）に示されるように，ある種の線維筋痛症に罹患した患者には，抗うつ薬が有効とされる。また，この公報にも開示されるように，一部の線維筋痛症患者の治療には，抗けいれん薬や漢方薬も有効とされている。【０００５】
なお，アイザックス症候群（Ｉｓａａｃｓ  Ｓｙｎｄｒｏｍｅ）は，たとえば，生体内にカリウムチャネルに影響を与える抗体が存在することにより，神経の興奮を抑制しにくくなり，けいれんが持続する症状である。アイザックス症候群に対して，電位依存性カリウムチャネル（ＶＧＫＣ）の選択的な阻害剤が有効であることが知られている（たとえば，特表２００９−５０２２０６号公報）。
【先行技術文献】
【特許文献】
【０００６】
【特許文献１】特許３６３０６８９号公報
【特許文献２】特開２００９−００７２７８号公報
【非特許文献】
【０００７】
【非特許文献１】厚生労働研究班「線維筋痛症診察ガイドライン２００９」財団法人日本リウマチ財団２０１０年３月３１日発行５８頁
【発明の概要】
【発明が解決しようとする課題】
【０００８】
上記の通り，線維筋痛症の原因やタイプを適切に診断する方法や，そのタイプに応じた治療方法の確立が望まれる。【０００９】
そこで，本発明は，ある種の線維筋痛症を適切に診断するための診断剤，診断方法，及びそのタイプに対する治療剤を提供することを目的とする。
【課題を解決するための手段】
【００１０】
本発明は，基本的には，ある種の線維筋痛症は，電位依存性カリウムチャネル（ＶＧＫＣ）の複合体に対する抗体（抗ＶＧＫＣ複合体抗体）が原因であるという実施例による知見に基づくものである。そして，本発明者らは，抗ＶＧＫＣ複合体抗体が原因である線維筋痛症に対して，抗けいれん薬が有効であることを実施例により解明した。【００１１】
すなわち，本発明の第１の側面は，抗ＶＧＫＣ複合体抗体を検出する試薬を含む線維筋痛症の診断剤に関する。この診断剤は，電位依存性カリウムチャネルの複合体に対する抗体（抗ＶＧＫＣ複合体抗体）と関連する線維筋痛症の診断剤である。そして，この診断剤は，抗ＶＧＫＣ複合体抗体を検出する試薬を含むため，線維筋痛症の原因が抗ＶＧＫＣ複合体抗体である患者に対して，線維筋痛症の原因を解明できる。これにより，後述するとおり，このタイプの線維筋痛症に対する適切な処置を施すことができることとなる。【００１２】
本発明の第２の側面は，抗ＶＧＫＣ複合体抗体と関連する線維筋痛症の診断方法に関する。この方法は，基本的には先に説明した診断剤を用いて線維筋痛症患者の原因が，抗ＶＧＫＣ複合体抗体であるか否かを判定する方法である。この方法は，たとえば，抗ＶＧＫＣ複合体抗体を検出する試薬を用いて，患者の生体試料（たとえば，血清）に，抗ＶＧＫＣ複合体抗体が所定濃度以上含まれるか否か判定する。【００１３】
本発明の第３の側面は，抗ＶＧＫＣ複合体抗体と関連する線維筋痛症の治療剤に関する。この治療剤は，抗けいれん薬を有効成分として有効量含む。具体的な抗けいれん薬は，ガバペンチン又はクロナゼパムである。後述する実施例で実証されたとおり，抗ＶＧＫＣ複合体抗体と関連する線維筋痛症患者に対して，抗けいれん薬を投与したところ，線維筋痛症の症状が著しく改善された。よって，抗けいれん薬を有効成分として含む治療剤は，抗ＶＧＫＣ複合体抗体と関連する線維筋痛症の治療剤として有効であると考えられる。この治療剤は，血清中を用いた抗ＶＧＫＣ複合体抗体濃度の測定において抗ＶＧＫＣ複合体抗体濃度が１００ｐＭ以上の線維筋痛症患者に対する疼痛改善に用いられる治療剤として特に有効である。
【発明の効果】
【００１４】
本発明は，抗ＶＧＫＣ複合体抗体と関連する線維筋痛症を診断するための診断剤，診断方法，及び抗ＶＧＫＣ複合体抗体と関連する線維筋痛症に対する治療剤を提供できる。
【図面の簡単な説明】
【００１５】
【図１】図１は，線維筋痛症患者の抗ＶＧＫＣ複合体抗体濃度を示す図である。
【図２】図２は，抗ＶＧＫＣ複合体抗体陽性線維筋痛症患者における抗けいれん剤による痛みの軽減実験（ＶＡＳによる評価）を示すグラフである。
【発明を実施するための形態】
【００１６】
抗ＶＧＫＣ複合体抗体関連線維筋痛症の診断剤
先に説明したとおり，本発明の第１の側面は，抗ＶＧＫＣ複合体抗体を検出する試薬を含む線維筋痛症の診断剤に関する。この診断剤は，電位依存性カリウムチャネルの複合体に対する抗体と関連する線維筋痛症の診断剤である。抗ＶＧＫＣ複合体抗体の例は，抗ＶＧＫＣ抗体の他，ＶＧＫＣ及びＶＧＫＣに結合したタンパク質の複合体に対する抗体である。抗ＶＧＫＣ複合体抗体は，ＶＧＫＣと，ブンガロトキシンを含むカリウムチャネル阻害剤との複合体に対する抗体であってもよいし，ＶＧＫＣ及びＶＧＫＣに結合したタンパク質と，ブンガロトキシンを含むカリウムチャネル阻害剤との複合体に対する抗体であってもよい。この診断剤は，線維筋痛症の原因が抗ＶＧＫＣ複合体抗体と関連する患者に対して，線維筋痛症の原因を解明でき，治療における指針を与えることができる。
【００１７】
従来，抗ＶＧＫＣ複合体抗体は，患者数が極めて少ないアイザックス症候群と関連することが知られていた。このため，抗ＶＧＫＣ複合体抗体の診断剤の開発は進められていなかった。一方，実施例に示されるとおり，抗ＶＧＫＣ複合体抗体は，特定の線維筋痛症患者において特異的に発現している。このため，抗ＶＧＫＣ複合体抗体は，線維筋痛症の特異的マーカーとなる。一方，抗ＶＧＫＣ複合体抗体を直接検出するための試薬は現時点では開発されていない。そこで，カリウムチャネル阻害剤であるブンガロトキシン（ｂｕｎｇａｒｏｔｏｘｉｎ）をＶＧＫＣに結合させる。すると，ＶＧＫＣとブンガロトキシンとからなる複合体，又はＶＧＫＣ，ＶＧＫＣと結合したタンパク質及びブンガロトキシンを含む複合体が得られる。そこで，ブンガロトキシンに対する抗体を用いて，ＶＧＫＣ複合体を検出すればよい。すなわち，ＶＧＫＣの複合体の濃度を，ブンガロトキシンに対する抗体の濃度を用いて測定すればよい。このため抗ＶＧＫＣ複合体抗体の濃度を測定することで，抗ＶＧＫＣ抗体又はＶＧＫＣと結合しＶＧＫＣ複合体を形成するタンパク質の濃度（すなわち血清中のＶＧＫＣ複合体の濃度）を推測することができる。すなわち，抗ＶＧＫＣ複合体抗体を検出するための試薬の例は，ＶＧＫＣと結合させるためのブンガロトキシンと，ブンガロトキシンに対する抗体と，ブンガロトキシンに対する抗体の濃度を測定するための試薬とを含むものである。これらを含む試薬は，本発明にいう抗ＶＧＫＣ複合体抗体を検出するための試薬の一例である。そして，そのような抗ＶＧＫＣ複合体抗体を検出するための試薬を含む診断剤は，抗ＶＧＫＣ複合体抗体と関連する線維筋痛症の診断剤として有効である。
【００１８】
抗ＶＧＫＣ複合体抗体関連線維筋痛症の診断方法
本発明の第２の側面は，抗ＶＧＫＣ複合体抗体と関連する線維筋痛症の診断方法に関する。この方法は，基本的には先に説明した診断剤を用いて，線維筋痛症患者の原因分子が抗ＶＧＫＣ複合体抗体であるか否か判定する方法である。
【００１９】
この方法は，たとえば，抗ＶＧＫＣ複合体抗体を検出する試薬を用いて，患者の生体試料（たとえば，血清）に，抗ＶＧＫＣ複合体抗体が所定濃度以上含まれるか否か判定する。なお，この方法は，先に説明したとおり，ＶＧＫＣとブンガロトキシンとの複合体，又はＶＧＫＣとあるタンパク質を含むＶＧＫＣ複合体とブンガロトキシンとの複合体を形成させ，そのうえで抗ＶＧＫＣ複合体抗体の濃度を検出することで，抗ＶＧＫＣ複合体抗体が所定濃度以上含まれるか否か判定するものであってもよい。この方法に先立って，たとえば，Ｊ−ＦＩＱに基づいて線維筋痛症に罹患しているか否か判定してもよい。そして，線維筋痛症に罹患した患者の生体試料を採取して，抗ＶＧＫＣ複合体抗体の濃度を分析してもよい。なお，対照実験と比較して抗ＶＧＫＣ複合体抗体の濃度が一定比以上か否か判断してもよい。抗ＶＧＫＣ複合体抗体に関する線維筋痛症か否かの規準となる抗ＶＧＫＣ複合体抗体の濃度の例は，１００ｐＭである。
【００２０】
抗ＶＧＫＣ複合体抗体の濃度を検出するための生体試料（検体試料）は，血清に限定されない。この生体試料の血清以外の例は，ずい液である。また，たとえば，抗ＶＧＫＣ複合体抗体又はＶＧＫＣを用いた免疫学的方法を用いて，抗ＶＧＫＣ複合体抗体を検出できる。免疫学的方法の例は，ウェスタンブロット法，ドットブロット法，スロットブロット法，ＥＬＩＳＡ法，及びＲＩＡ法である。これらの方法は，既に知られている。ＶＧＫＣは，既に知られている。たとえば，アフィニティークロマトグラフィー，又はＳＤＳ−ＰＡＧＥを用いてＶＧＫＣを単離し，精製することで，抗ＶＧＫＣ複合体抗体を検出するためのＶＧＫＣを得ることができる。
【００２１】
抗ＶＧＫＣ複合体抗体は，公知である。このため，本発明は，公知の抗ＶＧＫＣ複合体抗体を用いることができる。また，抗ＶＧＫＣ複合体抗体を，バイオテクノロジーの分野において既に知られた方法により産生してもよい。たとえば，抗ＶＧＫＣ複合体抗体を産生する抗体産生細胞をミエローマ細胞と融合させてハイブリドーマを樹立し，このハイブリドーマから得られるモノクローナル抗体を抗ＶＧＫＣ複合体抗体としてもよい。
【００２２】
抗ＶＧＫＣ複合体抗体と関連する線維筋痛症の治療剤
本発明の第３の側面は，抗ＶＧＫＣ複合体抗体と関連する線維筋痛症の治療剤に関する。この治療剤は，たとえば，先に説明した診断方法により，抗ＶＧＫＣ複合体抗体と関連する線維筋痛症に罹患していると判断された患者に対して処方されてもよい。線維筋痛症は，様々な病因が考えられる。後述する実施例により実証された通り，本発明の治療剤は，鬱型でない線維筋痛症の治療に有効である。このような線維筋痛症の改善例は，疼痛の改善である。本発明の治療剤は，抗ＶＧＫＣ複合体抗体陽性線維筋痛症患者（血清を用いた抗ＶＧＫＣ複合体抗体の濃度が１００ｐＭ以上である線維筋痛症患者）に投与され，抗ＶＧＫＣ複合体抗体陽性線維筋痛症患者の症状の改善に有効である。
【００２３】
この治療剤は，抗けいれん薬を有効成分として有効量含む。抗けいれん薬の例は，ガバペンチン，フェニトイン，メフェニトイン，エトトイン，フェノバルビタール，メフォバルビタール（ｍｅｐｈｏｂａｒｂｉｔａｌ），プリミドン，カルバマゼピン，エトスクシミド，メトスクシミド，フェンスクシミド，バルプロ酸，トリメタジオン，パラメタジオン，フェナセミド，アセタゾールアミド，プロガビド，ジアゼパム，ロラゼパム，クロナゼパム，クロラゼプ酸塩及びニトラゼパムである。本発明では，後述する実施例で実証されたとおり，抗けいれん薬として，ガバペンチン又はクロナゼパムを好ましく用いることができる。後述する実施例で実証されたとおり，抗ＶＧＫＣ複合体抗体と関連する線維筋痛症患者に対して，抗けいれん薬を投与したところ，線維筋痛症の症状が著しく改善された。よって，抗けいれん薬を有効成分として含む治療剤は，抗ＶＧＫＣ複合体抗体と関連する線維筋痛症の治療剤として有効であると考えられる。以下では，ガバペンチン及びクロナゼパムを中心に本発明の治療剤について説明する。
【００２４】
ガバペンチン又はクロナゼパムはプロドラックであってもよい。ガバペンチン又はクロナゼパムは，薬学的に許容される塩又は溶媒和物であってもよい。
【００２５】
ガバペンチンの化学名は（１−アミノメチルシクロヘキシル）酢酸である。ガバペンチンの薬理的に許容される塩の例は，無機酸塩（塩酸塩，硫酸塩など），無機塩基塩（ナトリウム塩，カリウム塩，カルシウム塩など），および有機酸塩（酢酸塩，安息香酸塩，マレイン酸塩，酒石酸塩，フマル酸塩，メシル酸塩など）である。ガパペンチンまたはその薬理的に許容される塩は常法にしたがって製造しても良いし，市販のものを入手するようにしても良い。市販のカバペンチンの例は，ガパペン錠（商品名，有効成分：ガバペンチン，ファイザー株式会社）である。
【００２６】
クロナゼパムの例は，大日本住友製薬社の「ランドセン」及び中外製薬の「リボトリール」である。クロナゼパムは，ベンゾジアゼピン誘導体の一種である。
【００２７】
本発明の薬剤が，ガバペンチン又はクロナゼパムを有効成分として含む場合，有効成分の投与量は，患者の体重，年齢，性別，疾患の程度に応じて適宜定めればよい。例えば，成人に対する投与量は，経口投与で０．５〜３０ｍｇ／日，好ましくは５〜２０ｍｇ／日の範囲である。１日投与量を２〜４回に分けて投与するのが好ましい。また，反復投与するのが好ましく，例えば，４週間以上，継続使用するのがよい。
【００２８】
本発明の薬剤は，有効成分を，必要な賦形剤，崩壊剤，結合剤，滑沢剤，希釈剤，緩衝剤，等張化剤，防腐剤，湿潤剤，乳化剤，分散剤，安定化剤，溶解補助剤等の製剤担体と適宜混合または希釈・溶解し，常法により種々の剤形のものを製造することができる。また，市販製剤を使用することもできる。
【００２９】
本発明の薬剤の投与形態は，たとえば，散剤，顆粒剤，細粒剤，ドライシロップ剤，錠剤，カプセル剤等の経口投与剤；注射剤，貼付剤，坐剤等の非経口投与剤である。
【００３０】
本発明は，先に説明した診断方法に従って，抗ＶＧＫＣ複合体抗体と関連する線維筋痛症に罹患しているか判断する工程，及び抗ＶＧＫＣ複合体抗体と関連する線維筋痛症に罹患している判断された患者に対して，抗けいれん薬を投与する工程を含む，抗ＶＧＫＣ複合体抗体と関連する線維筋痛症の治療方法をも提供する。この患者の例は，患者の血清を用いてＶＧＫＣ複合体を生成した場合の抗ＶＧＫＣ複合体抗体濃度が１００ｐＭ以上の線維筋痛症患者である。すなわち，本発明は，患者の血清を用いた抗ＶＧＫＣ複合体抗体濃度の測定において抗ＶＧＫＣ複合体抗体濃度が１００ｐＭ以上の線維筋痛症患者に対して，ガバペンチン又はクロナゼパムを投与する工程を含む，線維筋痛症の治療方法をも提供する。特に本発明は，この患者の疼痛の改善に有効である。
【実施例１】
【００３１】
線維筋痛症患者の血清中における抗ＶＧＫＣ複合体抗体濃度
線維筋痛症患者２２名（鬱型６名及び鬱型でない患者１６名）及び健常者１３名から血清を採取し，ブンガロトキシンを用いてＶＧＫＣとの複合体，又はＶＧＫＣとあるタンパク質とブンガロトキシンとの複合体を形成し，抗ＶＧＫＣ複合体抗体の濃度を測定した。抗ＶＧＫＣ複合体抗体の濃度が１００ｐＭ以上を陽性，４００ｐＭ以上を強陽性とした。その結果を図１に示す。図１に示される例では，線維筋痛症患者をＦＭとして示している。【００３２】
図１では，健常者および鬱型の線維筋痛症患者の血清からは抗ＶＧＫＣ複合体抗体を含む複合抗体は検出されなかった。一方，鬱型でない線維筋痛症患者については，５名の患者の血清から抗ＶＧＫＣ複合体抗体が検出された。【００３３】
線維筋痛症は，原因不明の疾患である。この実験結果により，線維筋痛症の一因として，抗ＶＧＫＣ複合体抗体が考えられる。このため，線維筋痛症患者に含まれる抗ＶＧＫＣ複合体抗体の濃度を測定することで，抗ＶＧＫＣ複合体抗体陽性線維筋痛症患者の病因を解明することができると考えられる。
【実施例２】
【００３４】
抗ＶＧＫＣ複合体抗体陽性線維筋痛症患者における抗けいれん剤による痛みの軽減実験
抗ＶＧＫＣ複合体抗体陽性線維筋痛症患者には，抗けいれん剤により疼痛を軽減できると考えられる。そこで，実施例１における抗ＶＧＫＣ複合体抗体陽性線維筋痛症患者４名のうち３名（１００ｐＭを超える濃度の抗ＶＧＫＣ複合体抗体が検出された患者）に対し，抗ＶＧＫＣ複合体抗体陽性線維筋痛症患者における抗けいれん剤による痛みの軽減実験を行った。これらの患者は，鬱型でない線維筋痛症患者である。【００３５】
患者Ａに対し，カバペンチン９００ｍｇ及びクロナゼパム０．５ｍｇを経口投与した。その結果，患者疼痛ＶＡＳの値が，投薬前を１００としたところ４０に軽減された。【００３６】
患者Ｂに対し，クロナゼパム１．５ｍｇを経口投与した。その結果，患者疼痛ＶＡＳの値が，投薬前を１００としたところ３０に軽減された。【００３７】
患者Ｃに対し，カバペンチン１６００ｍｇ及びクロナゼパム１．０ｍｇを経口投与した。その結果，患者疼痛ＶＡＳの値が，投薬前を１００としたところ２０に軽減された。【００３８】
これらの結果から，抗ＶＧＫＣ複合体抗体陽性線維筋痛症患者には，抗けいれん剤により疼痛を著しく軽減できることが分かった。このように本発明は，原因不明の線維筋痛症に対して，抗ＶＧＫＣ複合体抗体が病因であることを見出した場合，適切な対処を行うことができることとなる。
【産業上の利用可能性】
【００３９】
本発明は，疾患診断サービス業，及び製薬業において利用されうる。
【図１】
2012046708.tif 000003
【図２】
2012046708.tif 000004
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
電位依存性カリウムチャネルの複合体に対する抗体を検出する試薬を含む，電位依存性カリウムチャネルに対する抗体と関連する線維筋痛症の診断剤。
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
電位依存性カリウムチャネルの複合体に結合するタンパク質と，前記タンパク質と結合した電位依存性カリウムチャネルの複合体に対する抗体を検出する試薬を含む，電位依存性カリウムチャネルに対する抗体と関連する線維筋痛症の診断剤。
【国際調査報告】
2012046708.tif 000005
2012046708.tif 000006
2012046708.tif 000007
2012046708.tif 000008
2012046708.tif 000009
2012046708.tif 000010